(57)【要約】    【課題】従来の電気光学マウスの感知度の不具合による電気光学マウスの操作不便の問題を解決する。    【解決手段】本発明はダブル感知光源搭載電気光学マウスとその感知方法を提供し、それが同期光源及び非同期光源等のダブル感知光源の概念を利用し、双方の光源を各角度により組合わせ、こうして各種表面環境（例えば、粗末な表面、均一の表面）に関する感知感度と精度を向上することができる。また、本発明が人工と自動切替えモードを提供し、ユーザー端で必要とする光源を選択させる一方、自動切替えモードにより、感知による軌道パターンに基づいて必要とする光源を切替える。【選択図】図４Ａ
2006330999.tif 000002
【特許請求の範囲】
【請求項１】
開閉自在であり、少なくとも一つのボタンがハウジング外縁部に装備されるハウジングと、
このハウジングの内部に共に設置され、表面に照射され光点を発生させ反射される光ビームを提供する同期光源及び非同期光源と、
この同期光源又は非同期光源の反射された光点を検知し、この光点が前記表面を移動する軌道の跡を判断するための感知信号を発生する少なくとも一つの感知ユニットを含み、前記ハウジング内部に設置され、ホスト及び前記ボタンと電気的に接続する集積回路ユニットと、
前記感知ユニットと電気的に接続し、前記ホストとの間で信号の伝送を行うことに使用され、前記感知信号により前記同期光源又は前記非同期光源を切り換えるタイミングを判断する制御ユニットと、
前記ホスト、前記ボタン、前記同期光源及び前記非同期光源に電気的に接続し、前記集積回路ユニットの入／出力の信号を制御するインターフェイス回路ユニットとを含み、
前記同期光源及び前記非同期光源を利用し、各種の表面環境への同時適用を図るようにすると共に、前記表面上で発生される光点の移動軌道のパターンを利用し、前記同期光源又は前記非同期光源を切り換えるタイミングを自動的に判断する
ことを特徴とするダブル感知光源搭載電気光学マウス。
【請求項２】
前記ホストとの間での電気接続が無線又は有線による電気的接続であることを特徴とする請求項１記載のダブル感知光源搭載電気光学マウス。
【請求項３】
少なくとも一つのスイッチ又は特別なボタンが前記ハウジング外縁部に装備され、これにより、前記同期光源及び前記非同期光源、又は自動切り換えモードを切り換えることを特徴とする請求項１記載のダブル感知光源搭載電気光学マウス。
【請求項４】
前記同期光源がレザー光源であることを特徴とする請求項１記載のダブル感知光源搭載電気光学マウス。
【請求項５】
前記レザー光源の波長範囲が６００乃至１０６０ナノであることを特徴とする請求項４記載のダブル感知光源搭載電気光学マウス。
【請求項６】
前記非同期光源が可視光又は不可視光の発光ダイオードの光源であることを特徴とする請求項１記載のダブル感知光源搭載電気光学マウス。
【請求項７】
前記制御ユニットがコントローラーであることを特徴とする請求項１記載のダブル感知光源搭載電気光学マウス。
【請求項８】
前記感知ユニットが電気光学感知装置であることを特徴とする請求項１記載のダブル感知光源搭載電気光学マウス。
【請求項９】
前記同期光源及び前記非同期光源が同一の感知ユニットを共用することを特徴とする請求項１記載のダブル感知光源搭載電気光学マウス。
【請求項１０】
前記同期光源及び前記非同期光源がそれぞれに感知ユニットを使用することを特徴とする請求項１記載のダブル感知光源搭載電気光学マウス。
【請求項１１】
前記集積回路ユニットが更に揮発メモリ又は不揮発メモリを含むことを特徴とする請求項１記載のダブル感知光源搭載電気光学マウス。
【請求項１２】
（ａ）ダブル感知光源搭載電気光学マウスを駆動する工程と、
（ｂ）自動切換えモードを選ぶかどうかを判断する工程と、
（ｃ）前記電気光学マウスの同期光源を駆動する工程と、
（ｄ）適当な感知信号を感知するかどうかを判断する工程と、
（ｅ）前記同期光源を連続に駆動する工程と
を含むことを特徴とするダブル感知光源搭載電気光学マウスの感知方法。
【請求項１３】
（ｄ）工程が肯定の場合は次の（ｅ）工程に進み、否定の場合は、（ｆ）前記同期光源をオフしかつ非同期光源を同時に駆動する工程に進むことを特徴とする請求項１２記載のダブル感知光源搭載電気光学マウスの感知方法。
【請求項１４】
（ｅ）又は（ｆ）工程が終わると、（ｄ）工程に戻ることを特徴とする請求項１２又は１３記載のダブル感知光源搭載電気光学マウスの感知方法。
【請求項１５】
（ｂ）工程が肯定の場合は次の（ｃ）工程に進み、否定の場合は、（ｇ）非同期光源を選ぶかどうかを判断する工程と、（ｈ）前記電気光学マウスの非同期光源を駆動する工程とに進むことを特徴とする請求項１２記載のダブル感知光源搭載電気光学マウスの感知方法。
【請求項１６】
（ｇ）工程が肯定の場合は次の（ｈ）工程に進み、否定の場合は、（ｉ）前記非同期光源をオフしかつ前記同期光源を同時に駆動する工程に進むことを特徴とする請求項１５記載のダブル感知光源搭載電気光学マウスの感知方法。
【請求項１７】
（ｈ）又は（ｉ）工程が終わると、（ｇ）工程に戻ることを特徴とする請求項１５又は１６記載のダブル感知光源搭載電気光学マウスの感知方法。
【請求項１８】
前記電気光学マウスは、
開閉自在であり、自動切替モードに使用される少なくとも一つのスイッチ又は特別なボタンがハウジング外縁部に装備されるハウジングと、
このハウジングの内部に共に設置され、表面に照射され光点を発生させ反射される光ビームを提供する同期光源及び非同期光源と、
この同期光源又は非同期光源の反射された光点を検知し、この光点が前記表面を移動する軌道の跡を判断するための感知信号を発生する少なくとも一つの感知ユニットを含み、前記ハウジング内部に設置され、ホストに電気的と接続する集積回路ユニットと、
前記感知ユニットと電気的に接続し、前記電気光学マウス及び前記ホストの間の信号の伝送を行うことに使用され、前記感知信号により前記同期光源又は前記非同期光源を切り換えるタイミングを判断する制御ユニットと、
前記ホスト、前記同期光源及び前記非同期光源、前記スイッチ若しくは特別なボタンと電気的に接続し、前記集積回路ユニットの入／出力の信号を制御するインターフェイス回路ユニットと
を含む
ことを特徴とする請求項１２記載のダブル感知光源搭載電気光学マウスの感知方法。
【請求項１９】
前記電気光学マウスと前記ホストとの間の電気接続が無線又は有線による電気的接続であることを特徴とする請求項１８記載のダブル感知光源搭載電気光学マウスの感知方法。
【請求項２０】
前記同期光源がレザー光源であることを特徴とする請求項１８記載のダブル感知光源搭載電気光学マウスの感知方法。
【請求項２１】
前記レザー光源の波長範囲が６００乃至１０６０ナノであることを特徴とする請求項１８記載のダブル感知光源搭載電気光学マウスの感知方法。
【請求項２２】
前記非同期光源が非同期の可視光又は不可視光の発光ダイオードの光源であることを特徴とする請求項１８記載のダブル感知光源搭載電気光学マウスの感知方法。
【請求項２３】
前記制御ユニットがコントローラーであることを特徴とする請求項１８記載のダブル感知光源搭載電気光学マウスの感知方法。
【請求項２４】
前記感知ユニットが電気光学感知装置であることを特徴とする請求項１８記載のダブル感知光源搭載電気光学マウスの感知方法。
【請求項２５】
当該同期光源及び非同期光源が同一の感知ユニットを共用することを特徴とする請求項１８記載のダブル感知光源搭載電気光学マウスの感知方法。
【請求項２６】
前記同期光源及び前記非同期光源がそれぞれに感知ユニットを使用することを特徴とする請求項１８記載のダブル感知光源搭載電気光学マウスの感知方法。
【請求項２７】
前記集積回路ユニットが更に揮発メモリ又は不揮発メモリを含むことを特徴とする請求項１８記載のダブル感知光源搭載電気光学マウスの感知方法。
【発明の詳細な説明】
【技術分野】
【０００１】
本発明は、ダブル感知光源搭載電気光学マウス及びその感知方法を提供し、特にダブル感知光源により電気光学マウスは、適当に各種表面に応用される概念を利用し、かつ人工（マニュアル）又は自動感知方法により光源を切替える。
【背景技術】
【０００２】
図１は、従来のパソコンとマウスとの間の構造概要図を示す。コンピュータホスト１０の作業効果（効率）が高速に進歩してくることで、その中の中央演算処理ユニットのロジック演算速度が既に数メガビット／秒に達しており、またますます速くなっている。ユーザー端とホスト１０との間の接続は、各種周辺設備に依存する。例えば、モニター１２が現在のコンピュータホスト１０の情報処理状況を表示し、又、ユーザー端でキーボード１１を使用する場合は情報がコンピュータホスト１０に入力される。同時に、コンピュータホスト１０では、ウインドウ情報システムにより、例えばマイクロソフトのウィンドウズ（登録商標）２０００又はＬＩＮＵＸ（登録商標）等をコンピュータの操作システムとした場合に、マウス１３がユーザー端でよく使われる入力周辺装置の一となる。マウス１３がユーザー端でよく使われる入力周辺装置の一なので、マウス１３の技術と機能の向上も大いに注目されている。また、マウス１３のタイプが次第に従来の機械式ローラマウス１３から部分電気光学機械式のマウス乃至電気光学マウスに改善されている。
【０００３】
図２は、従来の電気光学マウスの構造概要図を示し、この図２を図１と合わせて参照する。従来の電気光学マウス２０は、開閉自在のハウジング２１を有し、ハウジングの内部に、統合型回路基板である集積回路ユニット２３を収容し、集積回路ユニット２３には、感知装置２３１及び制御装置２３２がある。集積回路ユニット２３は、感知装置２３１及び制御装置２３２を集積回路モジュール方式により実現し、かつ表面粘着技術（ＳＭＴ）により印刷回路基板に接続されている。同時に従来の電気光学マウス２０は、ケーブル２４により集積回路ユニット２３とコンピュータホスト１０に電気的に接続され、従来の電気光学マウス２０にコンピュータホスト１０と伝送と接続を行うことを可能にする。
【０００４】
ハウジング２１の外部には、少なくとも一つのボタン２２が設置され、ボタン２２は、ハウジング内でボタンインターフェイス２２１に接続されてケ−ブル２４に電気的に接続され、ユーザー端でタッチボタン２２によりトリガー信号を発生させ、これを集積回路ユニット２３へ伝送する。そして、集積回路ユニット２３における制御装置２３２が、従来の電気光学マウス２０における制御信号をコンピュータホスト１０へ伝送すると、モニター１２においてマウスの制御信号が実行された結果が示される。次に、ハウジング２１には光源２５が有り、これで表面を照射すると、この光線が感知装置２３１に反射され、反射された光線に応じた感知信号により移動軌道方向及び距離が決められる。最後に、この軌道の図量がコンピュータホスト１０内へ送り届けられ、同様にモニター１２で、従来の電気光学マウス２０の移動方向又は距離を観察することができる。
【０００５】
しかし、従来の電気光学マウス２０は、反射された光線による感知信号を感知するために、反射する表面特徴と光源の波長の影響を受けるので、マウスの移動に対して感度と解像度とに不具合が発生する場合がある。このため、反射光線の専用のパッドが購入されることがある。かつ従来の電気光学マウス２０が反射光線の専用のパッドで操作される必要がある。もし反射光線の専用のパッドが摩損或いは遺失すると、買い替える必要がある。しかし、幾つかの光学マウス２０はその特殊な反射パッドを使用する必要がなくて、その表面の高反射率が必要であるということが不便なのである。
【０００６】
従って、本発明者は、前記事情に鑑みて、真剣に研究して通常知識の運用を合わせて、ついに合理的な設計であって有効に前記欠点を解決する本発明をした。
【発明の開示】
【発明が解決しようとする課題】
【０００７】
これに鑑みて、本発明の用途が従来の電気光学マウスの感知度の不具合による電気光学マウスの操作不便の問題を解決することに関する。前記の目的を達するために、本発明がダブル感知光源搭載電気光学マウスとその感知方法を提供し、それが同期光源及び非同期光源等のダブル感知光源の概念を利用し、双方の光源を各角度により組合わせ、こうして各種表面環境（例えば、粗末な表面、均一の表面）に関する感知感度と精度を向上することができる。また、本発明が人工と自動切替えモードを提供し、ユーザー端で必要とする光源を選択させる一方、自動切替えモードにより、感知による軌道パターンに基づいて必要とする光源に切替える。
【課題を解決するための手段】
【０００８】
本発明に係るダブル感知光源搭載電気光学マウスは、ハウジング、同期光源、非同期光源及び集積回路ユニットを含む。ハウジングは開放又は閉鎖自在であり、かつ少なくとも一つのボタンがハウジング外縁部に装備され、更に少なくとも一つのスイッチ又は特別なボタンを有し、これは、ハウジング外縁部に装備され、同期光源、非同期光源又は自動切り替えモードを切り替えることに使用される。そして、同期光源と非同期光源が共にハウジングの内部に設置され、ビームを提供し表面に照射されて光点を生じさせ、集積回路ユニットに反射される。集積回路ユニットは、ハウジングの内部に配置され、かつホスト、ボタン及びスイッチ若しくは特別なボタンに電気的に接続される。集積回路ユニットは無線又は有線によりホストに電気的に接続される。
【０００９】
また、集積回路ユニットは、少なくとも一つの感知ユニット、制御ユニット及びインターフェイス回路ユニットを含む。少なくとも一つの感知ユニットは、同期光源又は非同期光源の反射された光点を検知し、この光点が表面を走行する移動軌道を判断するための感知信号を発生する。感知ユニットは電気光学感知装置でもよく、同期光源と非同期光源は同一の電気光学感知装置を共用するか又は個別に使用することが可能である。制御ユニットは感知ユニットと電気的に接続し、感知ユニットは制御装置でもよく、電気光学マウスとホストとの間の信号の伝送を行い、また感知信号により同期光源又は非同期光源を切替えるタイミングを判断する。インターフェイス回路ユニットは、ホスト、ボタン、同期光源及び非同期光源と電気的に接続され、インターフェイス回路ユニットは集積回路ユニットの出力／入力の信号を制御する。集積回路ユニットは更に揮発性メモリ又は不揮発性メモリを含み、制御ユニット又は感知ユニットが伝送される制御信号又は感知信号を保存する。
【００１０】
本発明に係るダブル感知光源搭載電気光学マウスの感知方法は、以下のステップからなるものである。まず、ホストはダブル感知光源搭載電気光学マウスを駆動し、ユーザー端で電気光学マウスにおける少なくとも一つのスイッチ又は特別なボタンにより自動切替モードを選択するかどうかを判断し、自動切替モードを選択する場合はホストが電気光学マウスの同期光源を駆動し、次に、電気光学マウスが適当な感知信号を感知するかどうかを判断し、感知した場合は、同期光源を持続に駆動し、感知されない場合は同期光源をオフすると共に、電気光学マウスの非同期光源を駆動する。
【００１１】
ダブル感知光源搭載電気光学マウスの感知方法はユーザー端で自動切替モードを選択する。ユーザー端で人工方法により切替える場合は、以下のステップからなるものである。まず、ホストはダブル感知光源搭載電気光学マウスを駆動し、ユーザー端で電気光学マウスにおける少なくとも一つのスイッチ又は特別なボタンにより自動切替モードを選択するかどうかを判断し、ユーザー端で自動切替モードを選択しない場合は電気光学マウスにおける少なくとも一つのスイッチ又は特別なボタンにより電気光学マウスの非同期光源を選択するかどうかを判断し、選択された場合は電気光学マウスの非同期光源を駆動し、非同期光源を選択されない場合は非同期光源をオフすると共に、電気光学マウスの同期光源を駆動する。
【００１２】
本発明の特徴及び技術内容をより一層明瞭にさせるためには、本発明の詳細な説明と添付図面が参照されるべきであるが、添付図面が単に参考と説明を提供するだけで、本発明を限定しない。
【発明の効果】
【００１３】
従来の電気光学マウスの感知度の不良による電気光学マウスの操作不便の問題を解決することにある。
【発明を実施するための最良の形態】
【００１４】
図３は、本発明のダブル感知光源搭載電気光学マウスの構造概要図である。本発明に係るダブル感知光源搭載電気光学マウス３０は、ハウジング３１、同期光源３６、非同期光源３７及び集積回路ユニット３３を含む。ハウジング３１は、開閉自在であり、ユーザーが要求をコンピュータホスト１０に入力するためにその外部表面上に配置された少なくとも一つのボタン３２を備える。更に少なくとも一つのスイッチ又は特別なボタン３５を有し、これは、ハウジング３１の外縁部に装備され、ユーザー端（での操作）に合わせて同期光源３６、非同期光源３７又は自動切り替えモードを切り替えることに使用される。同期光源３６及び非同期光源３７は、共にハウジング３１の内部に設置され、それがビームを提供し表面に照射されて光点を生じさせ、集積回路ユニット３３に反射される。同期光源３６は、波長範囲が６００乃至１０６０ナノに達するレーザー光源であり、非同期光源３７は、可視光又は不可視光の発光ダイオードの光源である。集積回路ユニット３３は、回路基板であり、ハウジング３１の内部に配置され、ホスト、ボタン３２のボタンインターフェイス３２１、特別なボタン３５の特有のボタンインターフェイス３５１、同期光源３６及び非同期光源３７と電気的に接続される。集積回路ユニット３３は無線又は有線によりホストと電気的に接続されるので、電気光学マウスは有線電気光学マウス又は無線電気光学マウスである。
【００１５】
図４Ａは、本発明のダブル感知光源搭載電気光学マウスの断面構造概要図であり、この図４Ａを図３と共に参照する。集積回路ユニット３３は、少なくとも一つの感知ユニット３３１、制御ユニット３３２及びインターフェイス回路ユニット３３４を含み、バス３３５でそれぞれのユニットの信号を制御する。感知ユニット３３１は、電気光学感知装置であり、電気光学素子３３１ａを通じて同期光源３６又は非同期光源３７から照射され表面で反射された光点の光を受けて感知素子３３１ｂに伝送することにより、光点が表面上を進行する移動軌道を判断するための感知信号を発生する。同期光源３６と非同期光源３７は同一の電気光学を共用する。
【００１６】
制御ユニット３３２はコントローラーであり、それが電気光学マウス３０及びホストの間の信号伝送を行い、感知信号により同期光源３６又は非同期光源３７を切替えるタイミングを判断する。インターフェイス回路ユニット３３４が集積回路ユニット３３の出力／入力信号を制御するので、ホスト、ボタン３２のボタンインターフェイス３２１、特別なボタン３５の特有のボタンインターフェイス３５１、同期光源３６及び非同期光源３７と電気的に接続される必要がある。集積回路ユニット３３は更にメモリユニット３３３を含み、これは揮発メモリ又は不揮発メモリであり、制御ユニット３３２又は感知ユニット３３１から伝送された制御信号及び感知信号の情報が保存される。
【００１７】
図４Ｂは、本発明のダブル感知光源搭載電気光学マウスの他方の断面構造図であり、この図４Ｂを図３と共に参照する。感知ユニット３３１は電気光学センサーを２個有し、同期光源３６と非同期光源３７がそれぞれに一つの電気光学センサーを使用する。
【００１８】
従って、電気光学マウス３０を操作する場合には、表面上での移動軌道のパターンに応じて発生する感知信号を取ることにより、同期光源３６と非同期光源３７のスイッチのタイミングを制御する。光学マウス３０は、適した光源のスイッチ・オン下において、高い感度及び精度でその移動の方向及び距離を得ることができる。光学マウス３０は、その特殊なボタンをトリガすることによって人工的に最良の光源を選択可能であり、或いは集積回路ユニット３３を実行することによって自動的に最良の光源を選択可能である。
【００１９】
図５は、本発明のダブル感知光源搭載電気光学マウスの自動切替えモードにおける感知方法の流れ図である。この方法は、下記のステップを含む。すなわち、ホストがダブル感知光源搭載電気光学マウス３０を駆動するステップ（Ｓ５００）と、ユーザー端で電気光学マウス３０における特別なボタン３５で自動切換えモードを選ぶかどうかを判断するステップ（Ｓ５０２）と、自動切替えモードを選択する場合には、ホストが電気光学マウス３０の同期光源３６を駆動するようにするステップ（Ｓ５０４）と、電気光学マウス３０が適当な感知信号を検知するかどうかを判断するステップ（Ｓ５０６）と、検知した場合は同期光源３６を持続に駆動するようにするステップ（Ｓ５０８）と、検知されいない場合は同期光源３６を停止させ、かつ電気光学マウス３０における非同期光源３７を同時に駆動させるステップ（Ｓ５１０）とがある。自動切替えモードでは、光学マウス３０は、その必要とされる光源をスイッチ・オンするために、Ｓ５０６を実行するのを継続する。
【００２０】
図６は、ダブル感知光源搭載電気光学マウスの人工切替えモードにおける感知方法の流れ図である。ダブル感知光源搭載電気光学マウス３０の感知方法は、ユーザー端で自動切替えモードを選択し、ユーザー端で人工方法により切替えを行う場合は、下記のステップを含む。すなわち、ホストがダブル感知光源搭載電気光学マウスを駆動するステップ（Ｓ６００）と、ユーザー端で電気光学マウス３０における特別なボタンにより自動切換えモードを選ぶかどうかを判断するステップ（Ｓ６０２）と、ユーザー端で自動切替えモードを選択しない場合には、電気光学マウス３０における特別なボタン３５により電気光学マウス３０の非同期光源３７を選択するかどうかを判断するステップ（Ｓ６０４）と、選択した場合は電気光学マウス３０の非同期光源３７を駆動するステップ（Ｓ６０６）と、非同期光源３７を選択されていない場合は非同期光源３７を停止し、かつ同期光源３６を同時に駆動するステップ（Ｓ６０８）とがある。マニュアル切替えモードでは、光学マウス３０は、その必要とされる光源をスイッチ・オンするために、Ｓ６０４を実行するのを継続する。
【００２１】
本発明に係るダブル感知光源搭載電気光学マウスとその感知方法は、同期光源及び非同期光源等のダブル感知光源の概念を利用し、双方の光源を各角度により組合わせ、こうして各種表面環境に関する感知感度と精度を向上することができる。また、本発明が人工と自動切替えモードを提供し、ユーザー端で必要とする光源を選択させる一方、自動切替えモードにより、感知による軌道パターンに基づいて必要とする光源を切替える。更に、本発明は仕様の設定では同期光源と非同期光源のそれぞれにより電気光学感知方法を合わせるか、或いは同一の光学センサー方法を共用しシステムを統合してもよい。
【００２２】
上記記載は、単に本発明の最良の実施例の詳細的な説明と図だけであり、請求の範囲を制限しない。故に、本発明の説明と図内容が記載された等価変化の実施例を利用しても、共に本発明の範囲に含まれ、この分野を熟知する者は本発明の分野内で簡単に考える変化或いは変更を請求項が含むものである。
【図面の簡単な説明】
【００２３】
【図１】従来のパソコンとマウスの構造概要図を示す。
【図２】従来の電気光学マウスの構造概要図を示す。
【図３】本発明に係るダブル感知光源搭載電気光学マウスの構造概要図を示す。
【図４Ａ】本発明に係るダブル感知光源搭載電気光学マウスの断面構造概要図を示す。
【図４Ｂ】本発明に係るダブル感知光源搭載電気光学マウスの他方の断面構造概要図を示す。
【図５】本発明に係るダブル感知光源搭載電気光学マウスの自動切替えモードでの感知方法の流れ図を示す。
【図６】ダブル感知光源搭載電気光学マウスの人工切替えモードでの感知方法の流れ図を示す。
【符号の説明】
【００２４】
３０  本発明の電気光学マウス
３１  ハウジング
３２  ボタン
３２１  ボタンインターフェイス
３３  集積回路ユニット
３４  ケ−ブル
３５  特別なボタン
３５１  特別なボタンインターフェイス
３６  同期光源
３７  非同期光源
３３１  感知ユニット
３３１ａ  光学素子
３３１ｂ  感知素子
３３２  制御ユニット
３３３  メモリユニット
３３４  インターフェイスユニット
３３５  バス
【図１】
2006330999.tif 000003
【図２】
2006330999.tif 000004
【図３】
2006330999.tif 000005
【図４Ａ】
2006330999.tif 000006
【図４Ｂ】
2006330999.tif 000007
【図５】
2006330999.tif 000008
【図６】
2006330999.tif 000009